(57)【特許請求の範囲】
【請求項１】
遊技場全体をカバーするように設けられた複数の撮影手段と、
これらの撮影手段による撮影画像から遊技客を検出する人物検出手段と、
この人物検出手段が検出した遊技客を個別に追尾し、各遊技客が遊技する遊技台番号を遊技客に関連付けて出力する追尾手段と、
遊技台毎の遊技データを収集する遊技データ収集手段と、
前記遊技台に１対１で対応して設けられ、セットされた会員カードから会員番号を読取るカード読取手段と、
このカード読取手段が読取った会員番号を認証したときは、当該会員番号及び前記カード読取手段が設けられている遊技台番号を出力する会員番号認証手段とを備え、
前記遊技データ収集手段は、前記追尾手段からの情報に基づいて遊技客毎の遊技履歴を作成し、
前記追尾手段は、遊技客を追尾するときは当該遊技客に仮の会員番号を付与すると共に、遊技客が前記遊技台で遊技したときは遊技台番号を判断して当該遊技台番号及び当該遊技客に付与した仮の会員番号を出力し、
前記遊技データ収集手段は、前記追尾手段から仮の会員番号及び遊技台番号を入力したときは遊技データと仮の会員番号とを関連付けることにより遊技履歴を作成すると共に、前記会員番号認証手段から会員番号及び遊技台番号を入力したときは前記遊技履歴を仮の会員番号に代えて正規の会員番号と関連付けることを特徴とする遊技管理システム。
【請求項２】
遊技台毎に設けられ遊技する遊技客を撮影する撮影手段と、
この撮影手段による撮影画像から遊技客を検出する人物検出手段と、
この人物検出手段が検出した遊技客が交替したことを判断する人物比較手段と、
この人物比較手段が客交替を判断したときは前記撮影手段による撮影画像に基づいて遊技客を特定し、当該遊技客が遊技する遊技台番号を当該遊技客に関連付けて出力する人物特定手段と、
前記遊技台毎の遊技データを収集する遊技データ収集手段と、
前記遊技台に１対１で対応して設けられ、セットされた会員カードから会員番号を読取るカード読取手段と、
このカード読取手段が読取った会員番号を認証したときは、当該会員番号及び前記カード読取手段が設けられている遊技台番号を出力する会員番号認証手段とを備え、
前記遊技データ収集手段は、前記人物特定手段からの情報に基づいて遊技客毎の遊技履歴を作成し、
前記人物特定手段は、前記人物比較手段が客交替したと判断した遊技客が未登録であったときは当該遊技客に仮の会員番号を付与し、当該仮の会員番号及び遊技客が遊技する遊技台番号を出力すると共に、上記遊技客が登録されている遊技客であると判断したときは当該遊技客に付与している仮の会員番号及び当該遊技客が遊技する遊技台番号を出力し、
前記遊技データ収集手段は、前記人物特定手段から仮の会員番号及び遊技台番号を入力したときは遊技データと仮の会員番号とを関連付けることにより遊技履歴を作成すると共に、前記会員番号認証手段から会員番号及び遊技台番号を入力したときは前記遊技履歴を仮の会員番号に代えて正規の会員番号と関連付けることを特徴とする遊技管理システム。
【発明の詳細な説明】
【０００１】
【発明の属する技術分野】
本発明は、会員カードを利用した遊技管理システムに関する。
【０００２】
【発明が解決しようとする課題】
従来より、パチンコホールでは、会員カードを利用した遊技システムが供されている。この会員カードは、遊技客が会員登録することによりパチンコホールから発行されるもので、会員となった遊技客が遊技終了時に持玉を貯玉することを希望するときは、玉計数器に会員カードを挿入した状態で持玉を計数する。これにより、ホールコンピュータには貯玉数が会員番号と対応して記憶される。また、次の来店時に貯玉の返却を希望するときは、会員カードをパチンコ台に対応して設けられた台間玉貸機に挿入した状態で貯玉数の範囲内で返却数を指示することにより台間玉貸機からパチンコ玉が放出されるので、現金を扱うことなく遊技することが可能となり、極めて至便である。
【０００３】
このような遊技システムでは、遊技客が会員カードを使用したときは、遊技客を特定して遊技客毎の遊技データ（貸玉数、アウト玉数、セーフ玉数、スタート回数、特賞回数等）を収集することができると共に、さらには遊技客毎の遊技データ或いは遊技台毎の遊技データに基づいて不審人物或いは不正台を検出する場合にも役立つ。
しかしながら、遊技客が会員カードを使用しない場合は、遊技データを遊技客に関連付けて収集することはできないという欠点がある。
【０００４】
本発明は上記事情に鑑みてなされたもので、その目的は、会員カードを利用した構成において、遊技データを遊技客に確実に関連付けることができる遊技システムを提供することにある。
【０００５】
【課題を解決するための手段】
本発明の遊技管理システムは、遊技場全体をカバーするように設けられた複数の撮影手段と、これらの撮影手段による撮影画像から遊技客を検出する人物検出手段と、この人物検出手段が検出した遊技客を個別に追尾し、各遊技客が遊技する遊技台番号を遊技客に関連付けて出力する追尾手段と、遊技台毎の遊技データを収集する遊技データ収集手段と、前記遊技台に１対１で対応して設けられ、セットされた会員カードから会員番号を読取るカード読取手段と、このカード読取手段が読取った会員番号を認証したときは、当該会員番号及び前記カード読取手段が設けられている遊技台番号を出力する会員番号認証手段とを設けた上で、前記遊技データ収集手段は、前記追尾手段からの情報に基づいて遊技客毎の遊技履歴を作成し、
前記追尾手段は、遊技客を追尾するときは当該遊技客に仮の会員番号を付与すると共に、遊技客が前記遊技台で遊技したときは遊技台番号を判断して当該遊技台番号及び当該遊技客に付与した仮の会員番号を出力し、前記遊技データ収集手段は、前記追尾手段から仮の会員番号及び遊技台番号を入力したときは遊技データと仮の会員番号とを関連付けることにより遊技履歴を作成すると共に、前記会員番号認証手段から会員番号及び遊技台番号を入力したときは前記遊技履歴を仮の会員番号に代えて正規の会員番号と関連付けるようにしたものである（請求項１）。
【０００６】
このような構成によれば、遊技場に遊技客が来店したときは、人物検出手段が撮影手段による撮影画像から遊技客を検出するようになるので、追尾手段は、人物検出手段が検出した遊技客を個別に追尾する。そして、遊技客が遊技したときは、遊技客が遊技する遊技台番号を遊技客に関連付けて出力する。これにより、遊技データ収集手段は、追尾手段からの情報に基づいて遊技客毎の遊技履歴を作成することができる。
【００１０】
また、追尾手段は、遊技客を追尾するときは当該遊技客に仮の会員番号を付与する。そして、遊技客が遊技台で遊技したときは、遊技台番号を判断して当該遊技台番号及び仮の会員番号を出力する。これにより、遊技データ収集手段は、追尾手段から仮の会員番号及び遊技台番号が入力したときは遊技データと仮の仮の会員番号とを関連付けることにより遊技履歴を作成する。
【００１１】
そして、遊技客が会員カードを使用することにより会員番号認証手段から会員番号及び遊技台番号が出力されたときは、遊技データ収集手段は、遊技履歴を仮の会員番号に代えて正規の会員番号と関連付けるので、会員毎の遊技履歴を管理することができる。
【００１２】
また、本発明の遊技システムは、遊技台毎に設けられ遊技する遊技客を撮影する撮影手段と、この撮影手段による撮影画像から遊技客を検出する人物検出手段と、この人物検出手段が検出した遊技客が交替したことを判断する人物比較手段と、この人物比較手段が客交替を判断したときは前記撮影手段による撮影画像に基づいて遊技客を特定し、当該遊技客が遊技する遊技台番号を当該遊技客に関連付けて出力する人物特定手段と、前記遊技台毎の遊技データを収集する遊技データ収集手段と、前記遊技台に１対１で対応して設けられ、セットされた会員カードから会員番号を読取るカード読取手段と、このカード読取手段が読取った会員番号を認証したときは、当該会員番号及び前記カード読取手段が設けられている遊技台番号を出力する会員番号認証手段とを設けた上で、前記遊技データ収集手段は、前記人物特定手段からの情報に基づいて遊技客毎の遊技履歴を作成し、前記人物特定手段は、前記人物比較手段が客交替したと判断した遊技客が未登録であったときは当該遊技客に仮の会員番号を付与し、当該仮の会員番号及び遊技客が遊技する遊技台番号を出力すると共に、上記遊技客が登録されている遊技客であると判断したときは当該遊技客に付与している仮の会員番号及び当該遊技客が遊技する遊技台番号を出力し、前記遊技データ収集手段は、前記人物特定手段から仮の会員番号及び遊技台番号を入力したときは遊技データと仮の会員番号とを関連付けることにより遊技履歴を作成すると共に、前記会員番号認証手段から会員番号及び遊技台番号を入力したときは前記遊技履歴を仮の会員番号に代えて正規の会員番号と関連付けるようにしたものである（請求項２）。
【００１３】
このような構成によれば、遊技客が遊技台で遊技すると、撮影手段が遊技客を撮影するので、人物検出手段は、撮影手段による撮影画像から遊技客を検出する。
【００１４】
ここで、人物比較手段は、撮影手段が撮影した遊技客を比較しており、遊技客が交替したときはそのことを検出する。すると、人物特定手段は、客交替した新たな遊技客を特定して当該遊技客が遊技する遊技台番号を当該遊技客に関連付けて出力する。これにより、遊技データ手段は、人物特定手段からの情報に基づいて遊技客毎の遊技履歴を作成することができる。
【００１８】
また、人物特定手段は、人物比較手段が客交替したと判断した遊技客が未登録であったときは、遊技客に仮の会員番号を付与し、その仮の会員番号及び遊技客が遊技する遊技台番号を出力する。また、遊技客が登録されている遊技客であると判断したときは遊技客に付与した仮の会員番号及び遊技客が遊技する遊技台番号を出力する。これにより、遊技データ収集手段は、人物特定手段からの情報に基づいて遊技データと仮の仮の会員番号とを関連付けることにより遊技履歴を作成する。
【００１９】
そして、遊技客が会員カードを使用することにより会員番号認証手段から会員番号及び遊技台番号が出力されたときは、遊技データ収集手段は、遊技履歴を仮の会員番号に代えて正規の会員番号と関連付けるので、会員毎の遊技履歴を管理することができる。
【００２０】
【発明の実施の形態】
（第１の実施の形態）
以下、本発明をパチンコホールに適用した第１の実施の形態を図１及び図２を参照して説明する。尚、本パチンコホールでは、遊技客が会員登録した場合は、遊技客に対して会員カードを発行し、会員となった遊技客は、会員カードを利用することにより獲得した持玉を貯玉することができると共に、貯玉したパチンコ玉を引出して遊技することが可能となる貯玉システムのサービスを受けることができるようになっている。
【００２１】
図１は全体構成を概略的に示している。この図１において、カメラ（撮影手段に相当）１はパチンコホール全体をカバーするように配置されている。このカメラ１の画像信号は画像バッファ２にデジタル画像情報として一時的に記憶される。人物検出部（人物検出手段に相当）３は、画像バッファ２からのデジタル画像情報に基づいて人物を抽出し、抽出した人物エリア情報を追尾部（追尾手段に相当）４に出力する。
【００２２】
追尾部４は、人物検出部３からの人物エリア情報に基づいて各遊技客を追尾するようになっている。この場合、追尾部４は、遊技客に対して仮の会員番号を付与すると共に、遊技客が遊技台５の前に着座する毎に、遊技客の位置と店内マップと比較し、遊技客に付与した仮の会員番号と遊技客が遊技する遊技台５の遊技台番号を遊技データ収集部（遊技データ収集手段に相当）６に出力する。
【００２３】
カードリーダ（カード読取手段に相当）７は図示しない台間玉貸機と一体に設けられており、会員カードがセットされた状態で暗証番号が入力されたときは、会員カードに記憶されている会員番号を読取り、暗証番号と共に会員番号認証部（会員番号認証手段に相当）８に出力する。尚、この会員番号及び暗証番号は本来は貯玉システムを利用するために図示しないホールコンピュータに出力されるもので、ホールコンピュータにより会員であることが認証されたときは、台間玉貸機により貯玉数の範囲内でパチンコ玉の貸出が可能となる。
【００２４】
会員番号認証部８は、カードリーダ７から会員番号及び暗証番号を入力したときは、会員番号に対応して登録されている正規の会員番号を遊技データ収集部６に出力する。
【００２５】
遊技データ収集部６は、各遊技台５の遊技データを入力すると共に、追尾部４から仮の会員番号を入力したときは、遊技データと仮の会員番号とを関連付けることにより仮の会員番号毎の遊技履歴を作成する。また、会員番号認証部８から正規の会員番号を入力したときは、仮の会員番号に代えて正規の会員番号を遊技履歴に対応させるようになっている。
【００２６】
次に上記構成の作用について説明する。
図２は本システムの動作を概略的に示すフローチャートで、所定時間毎に実行されるようになっている。この図２において、遊技データ収集部６は、遊技台５から遊技データを入力することにより遊技台５毎に遊技データを管理している（Ｓ１０１）。また、人物検出部３は、画像バッファ３からの画像情報に基づいて人物を検出している（Ｓ１０２）。また、カードリーダ７は、会員カードが挿入されたかを監視している（Ｓ１０６）。そして、追尾部４は遊技客が遊技中かを判断している（Ｓ１０９）。
【００２７】
さて、遊技客が来店したときは、その遊技客を撮影対象とするカメラ１からの画像中に人物が含まれるようになるので、人物検出部３は、人物エリアを示す人物エリア情報を追尾部４に出力する（Ｓ１０３）。
【００２８】
追尾部４は、人物検出部３から与えられた人物エリアに基づいてパチンコホールに内に位置する各遊技客を個別に追尾する（Ｓ１０４）。このような追尾は、画像認識処理により行われるもので、人物の顔或いは服装の特徴を抽出することにより行われるようになっている。このとき、追尾部４は、検出した遊技客毎に仮の会員番号を付与する（Ｓ１０５）。
【００２９】
そして、遊技客が遊技台５の前に着座したときは、追尾部４は、遊技中であると判断し（Ｓ１０９：ＹＥＳ）、遊技客の位置を店内マップと比較することにより遊技客が遊技する遊技台番号を判断し、その遊技台番号及び遊技客に付与した仮の会員番号を出力する（Ｓ１１０）。
【００３０】
遊技客が遊技台５の前に座って遊技を開始すると、各遊技台５から遊技データ（台番号、貸玉数、アウト玉数、セーフ玉数、スタート回数、特賞回数等）が出力されるので、遊技データ収集部６は、各遊技台５の遊技データを収集する（Ｓ１０１）。
【００３１】
このとき、遊技データ収集部６は、遊技客が着座しているときは追尾部４から仮の会員番号及び遊技台番号が与えられるので（Ｓ１１０）、それらに基づいて遊技客と遊技台５とを関連付けた客別遊技履歴を作成する（Ｓ１１１）。
【００３２】
ここで、遊技客が会員カードを利用して貯玉を引出すために、遊技台５に隣接して設置されている台間玉貸機のカードリーダ７に会員カードをセットした状態で暗証番号を入力すると、カードリーダ７が会員カードに記憶されている会員番号及び暗証番号を会員番号認証部８に出力する（Ｓ１０６：ＹＥＳ）。これにより、会員番号認証部８は、カードリーダ７から入力した会員番号及び暗証番号が登録されている番号と一致したときは、台間玉貸機にパチンコ玉の放出許可を与えるので、遊技客は、現金を用いることなく貯玉数の範囲内でパチンコ玉の貸出を受けて遊技することができる。
【００３３】
この場合、会員番号認証部８は、会員カードを認証したときは、会員番号及び遊技客が遊技している遊技台番号を遊技データ収集部６に出力するので（Ｓ１０７）、遊技データ収集部６は、遊技客が仮の会員番号で管理されていた場合は、仮の会員番号に代えて正規の会員番号を再割当てすることにより客別遊技履歴を変更する（Ｓ１０８）。
【００３４】
このような実施の形態によれば、パチンコホール内を撮影するカメラ１を設置し、パチンコホールに来店した遊技客を個別に追尾することにより遊技客毎に遊技履歴を作成するようにしたので、会員カードを使用しない場合は遊技客毎の遊技履歴を作成できない従来例と違って、遊技客毎の遊技履歴を管理することができる。
【００３５】
また、遊技客が会員カードを利用したときは、遊技履歴を会員と関連付けるようにしたので、会員の遊技客に関しては、遊技客毎の遊技履歴を確実に作成することができる。この場合、会員でない遊技客に関しては、仮の会員番号を付与して管理するようにしたので、遊技客を特定することはできないものの、遊技客毎の遊技履歴の作成は可能となる。
【００３６】
しかも、このような遊技客毎の遊技履歴を作成できる結果、遊技台５毎の勝ち客を判別することができるので、この勝ち客が同一日に複数の遊技台５で勝ち組である場合や、勝ち客が同一台で複数日にわたって勝ち組である場合は、この勝ち組の遊技客を要注意人物としてマークでき、不審人物の発見が可能となる。
【００３７】
さらに、特定の遊技台５において、客毎に遊技データが大きく偏っているときは、セット打ち等の不正行為が行われている可能性があり、不正台の検出することが可能となる。
【００３８】
（第２の実施の形態）
次に、本発明の第２の実施の形態を図３及び図４を参照して説明するに、第１の実施の形態と同一部分には同一符号を付して説明を省略する。この第２の実施の形態は、遊技台５毎にカメラ１を設けたことを特徴とする。
【００３９】
図３は全体構成を概略的に示している。この図３において、カメラ１は遊技台５に１対１で対応して設置されており、カメラ１により遊技台５で遊技する遊技客を撮影するようになっている。
【００４０】
人物比較部（人物比較手段に相当）１１は、遊技客が交替したことを監視しており、遊技客の交替検出時には、交替した新たな遊技客の画像データを人物特定部（人物特定手段に相当）１２に送信する。
【００４１】
人物特定部１２は、客画像データベースを管理しており、人物比較部１１から客画像データを受信した場合は、客画像データベースと照合し、遊技客が登録されていないときは仮の会員番号を付与して遊技台番号と共に遊技データ収集部６に出力すると共に、遊技客が既に登録されているときは当該遊技客に付与されている仮の会員番号を遊技台番号と共に遊技データ収集部６へ送信する。
【００４２】
遊技データ収集部６は、各遊技台５の遊技データを入力すると共に、人物特定部１２から仮の会員番号を入力したときは、遊技データと仮の会員番号とを関連付けることにより仮の会員番号毎の遊技履歴を作成する。また、会員番号認証部８から会員番号を入力したときは、仮の会員番号に代えて正規の会員番号を遊技履歴に対応させるようになっている。
【００４３】
次に上記構成の作用について説明する。
図４は本システムの動作を示すフローチャートである。この図４において、遊技データ収集部６は、遊技台５から遊技データを入力することにより遊技台５毎に遊技データを管理している（Ｓ２０１）。
【００４４】
また、カードリーダ７は会員カードが挿入されたかを監視し（Ｓ２０２）、人物比較部１１は人物検出部３による検出結果に基づいて客が交替したかを監視している（Ｓ２０７）。
【００４５】
さて、遊技客が遊技台５の前に着座すると、人物比較部１１は客交替であると判断し（Ｓ２０７：ＹＥＳ）、客画像データを人物特定部１２に出力する（Ｓ２０８）。このとき、遊技客が来店してから初めて着座したときは客画像データが存在しないので、人物特定部１２は、遊技客に対して仮の会員番号を付与し遊技台番号と共に遊技データ収集部６に出力する（Ｓ２０９，Ｓ２１０）。
遊技データ収集部６は、人物特定部１２から与えられた仮の会員番号と遊技台番号とに基づいて客別遊技履歴を作成する（Ｓ２１１）。
【００４６】
ここで、席を立った遊技客が同一の遊技台５の前に着座したときは、人物検出部３は同一人物を再び検出するようになるので、人物比較部１１は、着座した客画像データを人物特定部１２に出力する（Ｓ２０８）。このとき、人物特定部１２は、客画像データが存在すると判断し（Ｓ２０９）、遊技客に先に付与した仮の会員番号と遊技台番号を遊技データ収集部６に出力する（Ｓ２１０）。
従って、遊技データ収集部６は、人物特定部１２から入力した仮の会員番号に基づいて同一の遊技客が遊技していると判断して客別遊技履歴を作成する。
【００４７】
また、席を立った遊技客とは異なる遊技客が着座したときは、人物比較部１１は、客が交替とした判断して客画像データを人物特定部１２に出力する。このとき、着座した遊技客が来店してから初めて遊技する場合は、人物特定部１２は、客画像データは存在しないと判断して仮の会員番号を付与し、付与した仮の会員番号を遊技台番号と共に遊技データ収集部６に出力する（Ｓ２１０）。また、着座した遊技客が他の遊技台５で既に遊技している場合は、人物特定部１２は、客画像データは存在すると判断し、遊技客に先に付与した仮の会員番号を遊技台番号と共に遊技データ収集部６に出力する（Ｓ２１０）。
従って、遊技データ収集部６は、人物特定部１２から入力した仮の会員番号に基づいて異なる遊技客が遊技していると判断して客別遊技履歴を作成する。
【００４８】
さて、遊技客が会員カードを利用してパチンコ玉の貸出を受けたときは、会員番号認証部８から遊技データ収集部６に会員番号が出力されるので（Ｓ２０２，Ｓ２０３）、遊技データ収集部６は、遊技客が仮の会員番号で管理されていた場合は、仮の会員番号に代えて正規の会員番号を再割当てすることにより客別遊技履歴を変更する（Ｓ２０４）。
【００４９】
このような第２の実施の形態によれば、遊技台５毎にカメラ１を設置し、遊技台５の遊技客が交替したことを検出することにより遊技客毎の遊技履歴を作成すると共に、遊技客が会員カードを利用したときは、遊技履歴を会員と関連付けるようにしたので、第１の実施の形態と同様に、会員の遊技客に関しては、遊技客毎の遊技履歴を確実に作成することができる。
【００５０】
また、遊技台５毎の遊技客別の遊技データを正しく収集できるようになることから、遊技データの偏りに基づいて不審人物或いは不正台の発見も可能となる。本発明は、上記各実施の形態に限定されるものではなく、パチスロ店或いはゲームセンターに適用するようにしてもよい。
【００５１】
【発明の効果】
以上の説明から明らかなように、本発明の遊技管理システムによれば、遊技客毎に遊技している遊技台を判断し、遊技台からの遊技データに基づいて遊技客毎の遊技履歴を作成すると共に、遊技客が会員カードを使用したときは、遊技履歴を会員に関連付けるようにしたので、会員カードを利用した構成において、遊技データを遊技客に確実に関連付けることができるという優れた効果を奏する。
【図面の簡単な説明】
【図１】本発明の第１の実施の形態における全体構成を概略的に示すブロック図
【図２】全体の動作を示すフローチャート
【図３】本発明の第２の実施の形態を示す図１相当図
【図４】図２相当図
【符号の説明】
１はカメラ（撮影手段）、３は人物検出部（人物検出手段）、追尾部（追尾手段）、５は遊技台、６は遊技データ収集部（遊技データ収集手段）、７はカードリーダ（カード読取手段）、８は会員番号認証部（会員番号認証手段）、１１は人物比較部（人物比較手段）、１２は人物特定部（人物特定手段）である。
【図１】
0004398034.tif 000002
【図２】
0004398034.tif 000003
【図３】
0004398034.tif 000004
【図４】
0004398034.tif 000005